(57)【要約】【課題】吸収性物品や排泄に関する印象を向上させることを目的とする。【解決手段】吸収性本体（１０）と、胴回り部（２０、３０）とテープ部材（４０）と、を有し、テープ部材（４０）が、テープ部材（４０）の一端部に設けられたテープ把持部（４２）と、他端部に設けられた固定部（４４）とを有し、固定部（４４）が、胴回り部（２０、３０）の非肌側面に固定された吸収性物品（１）であって、シール把持部（５２）と接着部（５５）とを備えるシール部材（５０）を有し、シール把持部（５２）は、シール部材（５０）の一端部（５０ｅ）に設けられ、接着部（５５）は、シール部材（５０）の一端部（５０ｅ）より他端部側の肌側面に設けられ、接着部（５５）が、テープ部材（４０）に接着されており、シール把持部（５２）を把持してテープ部材（４０）から分離されたシール部材（５０）が、接着部（５５）において再接着可能である。【選択図】図２
2019024935.tif 000002
【特許請求の範囲】
【請求項１】
吸収性本体と、胴回り部と、前記胴回り部に設けられたテープ部材と、を有し、
前記テープ部材が、前記テープ部材の一端部に設けられたテープ把持部と、他端部に設けられた固定部とを有し、
前記固定部が、前記胴回り部の非肌側面に固定された吸収性物品であって、
シール把持部と接着部とを備えるシール部材を有し、
前記シール把持部は、前記シール部材の一端部に設けられ、
前記接着部は、前記シール部材の一端部より他端部側の肌側面に設けられ、
前記接着部が、前記テープ部材に接着されており、
前記シール把持部を把持して前記テープ部材から分離された前記シール部材が、前記接着部において、再接着可能であることを特徴とする吸収性物品。
【請求項２】
請求項１の吸収性物品であって、
前記シール部材の非肌側の面は、全体が前記非肌側に露出していることを特徴とする吸収性物品。
【請求項３】
請求項１又は２に記載の吸収性物品であって、
上下方向と左右方向とを有しており、
前記シール部材の前記上下方向の長さが、前記テープ部材の前記上下方向より短いことを特徴とする吸収性物品。
【請求項４】
請求項１から３のいずれか１項に記載の吸収性物品であって、
上下方向と、左右方向と、前記上下方向及び前記左右方向と直交する前後方向とを有し、
前記テープ把持部と前記シール把持部は、前記上下方向において、少なくとも一部で重なっていないことを特徴とする吸収性物品。
【請求項５】
請求項１から４のいずれか１項に記載の吸収性物品であって、
前記テープ部材の他端部から前記テープ部材の一端部に向かう方向と前記シール部材の他端部から前記シール部材の一端部に向かう方向が同じであることを特徴とする吸収性物品。
【請求項６】
請求項１から５のいずれか１項に記載の吸収性物品であって、
前記シール部材は着色されており、
最も濃く着色された領域が前記シール把持部に設けられていることを特徴とする吸収性物品。
【請求項７】
請求項１から６のいずれか１項に記載の吸収性物品であって、
前記シール部材の他端と前記テープ部材の一端は連続しており、
前記シール部材と前記テープ部材の境にスリットが設けられていることを特徴とする吸収性物品。
【請求項８】
請求項１から７のいずれか１項に記載の吸収性物品であって、
前記シール部材とは異なる他のシール部材を有しており、
前記他のシール部材は、他のシール把持部と、他の接着部とを備えており、
前記他の接着部は、前記他のシール部材の一端部より他端部側の肌側面に設けられ、
前記他の接着部が、前記テープ部材、前記シール部材又は前記他のシール部材のいずれかに接着されており、
前記他のシール把持部を把持して、前記テープ部材、前記シール部材又は前記他のシール部材から分離された前記他のシール部材が、前記他の接着部において、再接着可能であることを特徴とする吸収性物品。
【請求項９】
請求項８に記載の吸収性物品であって、
上下方向と、左右方向と、前記上下方向及び前記左右方向と直交する前後方向とを有し、
前記シール把持部と前記他のシール把持部は、前記上下方向において、少なくとも一部で重なっていないことを特徴とする吸収性物品。
【請求項１０】
請求項１から９のいずれか１項に記載の吸収性物品であって、
前記吸収性本体又は前記胴回り部は、
基準図柄と、
前記基準図柄と同一形状、又は、相似形状である正解図柄と、
前記基準図柄と同一形状ではなく、且つ、相似形状でもない不正解図柄と、
前記正解図柄を探すことを促す情報表示と、を備えており、
前記情報表示は、前記正解図柄、及び、前記不正解図柄よりも、前記基準図柄の近くに配置されており、
前記シール部材には、前記基準図柄と同一形状、又は、相似形状である図柄が視認可能な状態で設けられていることを特徴とする吸収性物品。
【請求項１１】
請求項１から１０のいずれか１項に記載の吸収性物品であって、
前記シール部材は、シール台紙に再接着可能であることを特徴とする吸収性物品。
【請求項１２】
請求項１から１１のいずれか１項に記載の吸収性物品であって、
前記シール部材には、シールであることの表示が視認可能な状態で設けられていることを特徴とする吸収性物品。
【請求項１３】
複数の吸収性物品を備えた吸収性物品のパッケージであって、
前記複数の吸収性物品のそれぞれは、吸収性本体と、胴回り部と、前記胴回り部に設けられたテープ部材と、シール把持部と接着部と所定の図柄を備えたシール部材と、を有し、
前記テープ部材は、前記テープ部材の一端部に設けられたテープ把持部と、他端部に設けられた固定部とを有し、
前記固定部が、前記胴回り部の非肌側面に固定されており、
前記シール把持部は、前記シール部材の一端部に設けられ、
前記接着部は、前記シール部材の一端部より他端部側の肌側面に設けられ、
前記接着部が、前記テープ部材に接着されており、
前記シール把持部を把持して前記テープ部材から分離された前記シール部材が、前記接着部において、再接着可能であり、
前記複数の吸収性物品のうちの、第１の吸収性物品の前記所定の図柄と、第２の吸収性物品の前記所定の図柄が異なっていることを特徴とする吸収性物品のパッケージ。
【請求項１４】
請求項１３に記載の吸収性物品のパッケージであって、
前記第１の吸収性物品の前記シール部材と前記第２の吸収性物品の前記シール部材には、それぞれ同じ位置に共通の図柄が設けられていることを特徴とする吸収性物品のパッケージ。
【請求項１５】
請求項１３又は１４に記載の吸収性物品のパッケージであって、
前記第１の吸収性物品の前記テープ部材と前記第２の吸収性物品の前記テープ部材には、同じ図柄が設けられていることを特徴とする吸収性物品のパッケージ。
【発明の詳細な説明】
【技術分野】
【０００１】
本発明は、吸収性物品及び吸収性物品のパッケージに関する。
【背景技術】
【０００２】
乳幼児は、成長の過程において、おむつの着用から、トイレで排泄ができるようにトレーニングを行う。乳幼児のトイレトレーニングを支援する補助用具として、例えば、特許文献１には、小冊子２０に排泄動作を行うキャラクターを示して、子供に排泄動作を思い出させ、子供が排泄や手洗い等の排泄動作を行ったことのご褒美として、小冊子２０の成功表示エリアにシール５７、６７を貼らせる等、成功表示手段を配置させることが可能な排泄訓練キットが開示されている。
【先行技術文献】
【特許文献】
【０００３】
【特許文献１】特表２００７−５３１９１１号公報
【発明の概要】
【発明が解決しようとする課題】
【０００４】
しかしながら、特許文献１のような排泄訓練キットでは、子供が排泄動作を思い出さなないまま、単にシールを貼る行為に夢中になってしまい、排泄訓練を行う動機づけに必ずしもならない恐れがあった。
【０００５】
本発明は、上記のような問題に鑑みてなされたものであって、吸収性物品等に対する印象を向上させ、排泄に関する印象をより楽しいものにすることができる吸収性物品を提供することを目的とする。
【課題を解決するための手段】
【０００６】
上記目的を達成するための主たる発明は、吸収性本体と、胴回り部と、前記胴回り部に設けられたテープ部材と、を有し、前記テープ部材が、前記テープ部材の一端部に設けられたテープ把持部と、他端部に設けられた固定部とを有し、前記固定部が、前記胴回り部の非肌側面に固定された吸収性物品であって、シール把持部と接着部とを備えるシール部材を有し、前記シール把持部は、前記シール部材の一端部に設けられ、前記接着部は、前記シール部材の一端部より他端部側の肌側面に設けられ、前記接着部が、前記テープ部材に接着されており、前記シール把持部を把持して前記テープ部材から分離された前記シール部材が、前記接着部において、再接着可能であることを特徴とする吸収性物品である。
本発明の他の特徴については、本明細書及び添付図面の記載により明らかにする。
【発明の効果】
【０００７】
本発明によれば、吸収性物品に備えられたテープ部材にシール部材が接着しているため、着用者である乳幼児は、自分が着用した吸収性物品や、これから着用する吸収性物品に備えられたシール部材を、シール台紙等に貼って楽しむことができるため、吸収性物品の印象を向上させ、排泄に関する印象をより楽しいものにさせやすくすることができる。また、吸収性本体（例えば、脚回り開口部）にシール部材を付着させると、シール部材が持つ剛性によって吸収性物品の変形を阻害してしまったり着用者に違和感を生じさせたりしてしまう恐れがあるが、吸収性物品が備えるテープ部材にシール部材を接着させることによって、吸収性物品のテープ部材ではない部分にシール部材を備えた場合よりも、吸収性物品の着用時における変形を阻害したり、着用者に違和感を生じさせたりする恐れを軽減させることができる。
【図面の簡単な説明】
【０００８】
【図１】図１は、本実施形態のおむつ１を背側から見た概略斜視図である。
【図２】図２Ａは、図１中のＢ−Ｂ断面図である。図２Ｂは、図２Ａのテープ部材４０からシール部材５０を分離した状態を示す断面図である。
【図３】図３Ａは、図２Ｂの状態のおむつ１を背側から見た概略斜視図である。図３Ｂは、図３Ａの状態のおむつ１を丸めて廃棄処理状態にした様子を示す概略斜視図である。
【図４】図４は、テープ部材４０及びシール部材５０を背側から見た正面図である。
【図５】図５は、シール台紙２００の一例を示す図である。
【図６】図６は、パッケージ１００の概略斜視図である。
【図７】図７Ａは、おむつ１の製造途中における連続テープ部材４００及び連続シール部材５００について説明する概略正面図である。図７Ｂは、図７Ａの連続テープ部材４００及び連続シール部材５００の概略側面図である。
【図８】図８Ａは、おむつ１のＢ−Ｂ断面図に該当する部分の他の実施形態１を説明する図である。図８Ｂは、おむつ１のＢ−Ｂ断面図に該当する部分の他の実施形態２を説明する図である。図８Ｃは、おむつ１のＢ−Ｂ断面図に該当する部分の他の実施形態３を説明する図である。
【図９】図９は、他の実施形態４を説明する図である。
【図１０】図１０Ａは、他の実施形態５のおむつ１を腹側から見た概略正面図である。図１０Ｂは、他の実施形態５のおむつ１を背側から見た概略正面図である。図１０Ｃは、他の実施形態５のテープ部材４０及びシール部材５０を説明する図である。
【発明を実施するための形態】
【０００９】
本明細書及び添付図面の記載により、少なくとも以下の事項が明らかとなる。
吸収性本体と、胴回り部と、前記胴回り部に設けられたテープ部材と、を有し、前記テープ部材が、前記テープ部材の一端部に設けられたテープ把持部と、他端部に設けられた固定部とを有し、前記固定部が、前記胴回り部の非肌側面に固定された吸収性物品であって、シール把持部と接着部とを備えるシール部材を有し、前記シール把持部は、前記シール部材の一端部に設けられ、前記接着部は、前記シール部材の一端部より他端部側の肌側面に設けられ、前記接着部が、前記テープ部材に接着されており、前記シール把持部を把持して前記テープ部材から分離された前記シール部材が、前記接着部において、再接着可能であることを特徴とする吸収性物品である。
【００１０】
このような吸収性物品によれば、吸収性物品に備えられたテープ部材にシール部材が接着しているため、着用者である乳幼児は、自分が着用した吸収性物品や、これから着用する吸収性物品に備えられたシール部材を、シール台紙等に貼って楽しむことができるため、吸収性物品の印象を向上させ、排泄に関する印象をより楽しいものにさせやすくすることができる。また、吸収性本体（例えば、脚回り開口部）にシール部材を付着させると、シール部材が持つ剛性によって吸収性物品の変形を阻害してしまったり着用者に違和感を生じさせたりしてしまう恐れがあるが、吸収性物品が備えるテープ部材にシール部材を接着させることによって、吸収性物品のテープ部材ではない部分にシール部材を備えた場合よりも、吸収性物品の着用時における変形を阻害したり、着用者に違和感を生じさせたりする恐れを軽減させることができる。
【００１１】
かかる吸収性物品であって、前記シール部材の非肌側の面は、全体が前記非肌側に露出していることが望ましい。
【００１２】
このような吸収性物品によれば、シール部材のみをテープ部材から分離させやすくすることができる。
【００１３】
かかる吸収性物品であって、上下方向と左右方向とを有しており、前記シール部材の前記上下方向の長さが、前記テープ部材の前記上下方向より短いことが望ましい。
【００１４】
このような吸収性物品によれば、シール部材の接着部をテープ部材に接着しやすくすることができる。
【００１５】
かかる吸収性物品であって、上下方向と、左右方向と、前記上下方向及び前記左右方向と直交する前後方向とを有し、前記テープ把持部と前記シール把持部は、前記上下方向において、少なくとも一部で重なっていないことが望ましい。
【００１６】
このような吸収性物品によれば、テープ把持部とシール把持部のそれぞれの把持部を掴みやすくすることができる。
【００１７】
かかる吸収性物品であって、前記テープ部材の他端部から前記テープ部材の一端部に向かう方向と前記シール部材の他端部から前記シール部材の一端部に向かう方向が同じであることが望ましい。
【００１８】
このような吸収性物品によれば、テープ把持部とシール把持部が同じ方向に設けられるため、それぞれの把持部を掴みやすくすることができる。
【００１９】
かかる吸収性物品であって、前記シール部材は着色されており、最も濃く着色された領域が前記シール把持部に設けられていることが望ましい。
【００２０】
このような吸収性物品によれば、シール把持部を認識させやすくすることができる。
【００２１】
かかる吸収性物品であって、前記シール部材の他端と前記テープ部材の一端は連続しており、前記シール部材と前記テープ部材の境にスリットが設けられていることが望ましい。
【００２２】
このような吸収性物品によれば、シール部材の他端とテープ部材の一端が連続していることで、シール部材が不用意にはがれてしまう恐れを軽減させることができる。
【００２３】
かかる吸収性物品であって、前記シール部材とは異なる他のシール部材を有しており、前記他のシール部材は、他のシール把持部と、他の接着部とを備えており、前記他の接着部は、前記他のシール部材の一端部より他端部側の肌側面に設けられ、前記他の接着部が、前記テープ部材、前記シール部材又は前記他のシール部材のいずれかに接着されており、前記他のシール把持部を把持して、前記テープ部材、前記シール部材又は前記他のシール部材から分離された前記他のシール部材が、前記他の接着部において、再接着可能であることが望ましい。
【００２４】
このような吸収性物品によれば、吸収性物品に複数のシール部材を備えているため、着用者は、複数回シール部材を貼ることを楽しむことができる。
【００２５】
かかる吸収性物品であって、上下方向と、左右方向と、前記上下方向及び前記左右方向と直交する前後方向とを有し、前記シール把持部と前記他のシール把持部は、前記上下方向において、少なくとも一部で重なっていないことが望ましい。
【００２６】
このような吸収性物品によれば、シール把持部と他のシール把持部をそれぞれ掴みやすくすることができる。
【００２７】
かかる吸収性物品であって、前記吸収性本体又は前記胴回り部は、基準図柄と、前記基準図柄と同一形状、又は、相似形状である正解図柄と、前記基準図柄と同一形状ではなく、且つ、相似形状でもない不正解図柄と、前記正解図柄を探すことを促す情報表示と、を備えており、前記情報表示は、前記正解図柄、及び、前記不正解図柄よりも、前記基準図柄の近くに配置されており、前記シール部材には、前記基準図柄と同一形状、又は、相似形状である図柄が視認可能な状態で設けられていることが望ましい。
【００２８】
このような吸収性物品によれば、着用者は、シール部材を正解図柄として探したり、シール部材を用いて吸収性本体又は胴回り部に備えられた正解図柄を探したりすることができるため、吸収性物品に対する印象をより向上させることができる。
【００２９】
かかる吸収性物品であって、前記シール部材は、シール台紙に再接着可能であることが望ましい。
【００３０】
このような吸収性物品によれば、着用者はシール台紙にシール部材を貼るという行為を楽しむことができる。
【００３１】
かかる吸収性物品であって、前記シール部材には、シールであることの表示が視認可能な状態で設けられていることが望ましい。
【００３２】
このような吸収性物品によれば、吸収性物品の着用者や、着用させようとする者がシール部材の存在を認識しやすくさせることができる。
【００３３】
複数の吸収性物品を備えた吸収性物品のパッケージであって、前記複数の吸収性物品のそれぞれは、吸収性本体と、胴回り部と、前記胴回り部に設けられたテープ部材と、シール把持部と接着部と所定の図柄を備えたシール部材と、を有し、前記テープ部材は、前記テープ部材の一端部に設けられたテープ把持部と、他端部に設けられた固定部とを有し、前記固定部が、前記胴回り部の非肌側面に固定されており、前記シール把持部は、前記シール部材の一端部に設けられ、前記接着部は、前記シール部材の一端部より他端部側の肌側面に設けられ、前記接着部が、前記テープ部材に接着されており、前記シール把持部を把持して前記テープ部材から分離された前記シール部材が、前記接着部において、再接着可能であり、前記複数の吸収性物品のうちの、第１の吸収性物品の前記所定の図柄と、第２の吸収性物品の前記所定の図柄が異なっていることを特徴とする吸収性物品のパッケージである。
【００３４】
このような吸収性物品のパッケージによれば、複数の吸収性物品を備えたパッケージ内に、異なる図柄のシール部材を設けることで、着用者はより多くの図柄を楽しむことができる。
【００３５】
かかる吸収性物品のパッケージであって、前記第１の吸収性物品の前記シール部材と前記第２の吸収性物品の前記シール部材には、それぞれ同じ位置に共通の図柄が設けられていることが望ましい。
【００３６】
このような吸収性物品のパッケージによれば、シール部材であることを認識しやすくすることができる。
【００３７】
かかる吸収性物品のパッケージであって、前記第１の吸収性物品の前記テープ部材と前記第２の吸収性物品の前記テープ部材には、同じ図柄が設けられていることが望ましい。
【００３８】
このような吸収性物品のパッケージによれば、テープ部材であることを認識しやすくすることができる。
【００３９】
＝＝＝実施形態＝＝＝
本発明に係る吸収性物品としてパンツ型の使い捨ておむつ（以下、「おむつ」ともいう。）を例に挙げて説明する。本実施形態のパンツ型の使い捨ておむつの着用対象者を乳幼児として説明するが、大人用としても利用可能である。また、本発明に係るパンツ型の吸収性物品は使い捨ておむつ以外にも、例えば生理用のショーツ型ナプキンとしても利用可能である。以下、おむつ１の着用者を「着用者」又は「乳幼児」ともいい、おむつ１を着用させようとする者を「保護者」ともいう。
【００４０】
＝＝＝パンツ型の使い捨ておむつ１の基本構成＝＝＝
図１は、本実施形態のおむつ１を背側から見た概略斜視図である。図１に示すように、おむつ１は上下方向と左右方向と前後方向とを有し、おむつ１には胴回り開口部ＢＨ及び一対の脚回り開口部ＬＨが形成されている。そして、以下では、このパンツ状態において上下方向の一方側及び他方側を、それぞれ「上側」又は「胴回り開口側」、及び「下側」又は「股下側」ともいう。また、前後方向の一方側及び他方側を、それぞれ「前側」又は「腹側」、及び「背側」又は「後側」ともいい、前後方向において着用者に接触する側を「肌側」、その反対側を「非肌側」ともいう。
【００４１】
おむつ１は、所謂３ピースタイプのパンツ型の使い捨ておむつであり、着用者の股間に配置される吸収性本体１０と、着用者の胴回りを覆う一対の胴回り部２０、３０と、テープ部材４０を有する。吸収性本体１０は、前後方向の肌側から順に、トップシート（不図示）、吸収体１１、バックシート（不図示）、外装シート１２を備えている。トップシートは液透過性シートであればよく、親水性のエアスルー不織布やスパンボンド不織布等を例示できる。バックシート１３は液不透過性シートであればよく、ポリエチレンフィルムやポリプロピレンフィルム等を例示できる。トップシート及びバックシートは吸収体１１全体を覆う大きさとする。外装シート１２は液透過性シートでも液不透過性シートでもよい。
【００４２】
吸収体１１は、平面視長方形状であり、液体を吸収する吸収性コア（不図示）と、吸収性コアの外周面を被覆するコアラップシート（不図示）とを備える。吸収性コアは、液体吸収性素材を、長手方向の中央部がくびれた略砂時計形状に成形したものである。液体吸収性素材としては、パルプ繊維等の液体吸収性繊維に高吸収性ポリマー（所謂ＳＡＰ）等が含有されたものを例示できる。コアラップシートとしては、ティッシュペーパーや不織布等の液透過性シートを例示できる。なお、コアラップシートはなくてもよい。
【００４３】
一対の胴回り部２０、３０は、着用者の腹側を覆う腹側胴回り部２０と背側を覆う背側胴回り部３０である。腹側胴回り部２０及び背側胴回り部３０はそれぞれ、不織布等の柔軟な２枚のシート部材と、左右方向に伸縮する糸ゴム等の複数の弾性部材２２、３２とを備える。複数の弾性部材２２、３２は、それぞれ上下方向に間隔を空けて並んで配されるとともに、左右方向に伸長した状態で２枚のシートの間に固定されている。したがって、腹側胴回り部２０及び背側胴回り部３０は左右方向に伸縮可能であり、着用者の胴回りにフィットする。
【００４４】
テープ部材４０は、背側胴回り部３０の非肌側面に設けられており、おむつ１を廃棄する際に使用される。テープ部材４０の非肌側面には、シール部材５０が接着されている。テープ部材４０及びシール部材５０の詳細は、後述する。
【００４５】
図１に示すパンツ型状態のおむつ１は、吸収性本体１０の腹側上端部の非肌側面と腹側胴回り部２０の肌側面とを接着剤等で接合し、吸収性本体１０の背側上端部の非肌側面と背側胴回り部３０の肌側面とを接着剤等で接合して、腹側胴回り部２０と背側胴回り部３０が対向するように吸収性本体１０を二つ折りして、腹側胴回り部２０の側部と背側胴回り部３０の側部とを接合することによって形成されている。
【００４６】
＝＝＝テープ部材４０及びシール部材５０の構成＝＝＝
図２Ａは、図１中のＢ−Ｂ断面図である。図２Ｂは、図２Ａのテープ部材４０からシール部材５０を分離した状態を示す断面図である。図３Ａは、図２Ｂの状態のおむつ１を背側から見た概略斜視図である。図３Ｂは、図３Ａの状態のおむつ１を丸めて廃棄処理状態にした様子を示す概略斜視図である。図２等の断面図においては、吸収性本体１０を実線で示すべきところ、便宜上、３点鎖線で示している。図３Ａ及び図３Ｂは、弾性部材３２等を省略して簡略化して示している。
【００４７】
図３Ａに示すように、テープ部材４０は、矩形形状の上下方向に沿った長い帯状部材で、背側胴回り部３０の非肌側のシート部材３１の非肌側面に固定部４４で接着剤（不図示）等によって剥離不能に固定されている。テープ部材４０には、テープ本体４１、テープ把持部４２、固定部４４、複数のテープ接着部４５が設けられている。矩形形状のテープ部材４０の長手方向及び短手方向を、それぞれおむつ１の上下方向及び左右方向に沿わせた状態で、テープ部材４０の長手方向の一端部４０ｅにはテープ把持部４２が設けられ、長手方向の他端部４０ｆには固定部４４が設けられている。なお、テープ部材４０の一端側は、おむつ１の上側であり、テープ部材の他端側は、おむつ１の下側である。
【００４８】
テープ部材４０の一端部４０ｅは、図３Ａのように、胴回り開口部ＢＨ側へと延長可能となっている。おむつ１の廃棄処理の際におむつ１をコンパクトな形態にするために、例えば、背側胴回り部３０の左右方向の両端部を腹側に向かってそれぞれ折り畳み、股下側からおむつ１を胴回り開口側に丸めることにより、図３Ｂに示す状態となる。このとき、テープ部材４０を、胴回り開口部ＢＨを超えたおむつの部分１ｐにテープ接着部４５で接着させることによって、おむつ１をコンパクトな形態に維持することができる。
【００４９】
なお、図２Ａ等に示すように、未使用のテープ部材４０は、例えば、長手方向にＺ字状に折り畳まれた状態となっている。テープ本体４１は、Ｚ字状に折り畳まれることで、最も非肌側に位置する第１層４０ｘ、最も肌側に位置する第３層４０ｚ、第１層と第３層の間に位置する第２層４０ｙの３つの層を有している。Ｚ字状に折り畳まれた状態において、第１層４０ｘの肌側面と第２層４０ｙの非肌側面との間、及び第２層４０ｙの肌側面と第３層４０ｚの非肌側面との間には、剥離可能な接着強度を有するテープ接着部４５がそれぞれ設けられている。つまり、複数のテープ接着部４５によって、第１層４０ｘと第２層４０ｙの接着、及び第２層４０ｙと第３層４０ｚの接着は、剥離後に再接着可能な状態となっている。このテープ接着部４５によって、未使用のテープ部材４０は、Ｚ字状の折り畳み状態に仮固定されている。テープ接着部４５は、第１層４０ｘと第２層４０ｙとの間におけるほぼ全域、及び第２層４０ｙと第３層４０ｚとの間におけるほぼ全域に、それぞれ連続した状態で設けられている。これによって、テープ接着部４５によって仮固定の状態がより確実に維持されやすくなり、不用意に外れる恐れを軽減させることができる。なお、必ずしもテープ接着部４５を、第１層４０ｘの肌側面と第２層４０ｙの非肌側面との間、及び第２層４０ｙの肌側面と第３層４０ｚの非肌側面との間のそれぞれ全域に亘って設ける必要はない。各テープ接着部４５は、未使用のテープ部材４０をＺ字状の折り畳み状態に仮固定することができる接着強度を備えていればよく、任意の接着範囲とすることができる。
【００５０】
そして、図３Ａの２点鎖線のように長手方向（上下方向）にテープ把持部４２を引っ張ると、テープ接着部４５による面同士の密着状態が解除されて、テープ部材４０を上側の胴回り開口部ＢＨの方へ延長することができる。なお、他端部４０ｆの固定部４４には、接着剤による固定に限らず、圧搾や圧着等により固定を行ってもよいし、面ファスナーのフック材等を設けて固定してもよい。
【００５１】
テープ本体４１は、テープ部材４０の基材となる部材であり、ポリエチレンやポリプロピレン等の樹脂素材を例示できる。本実施形態におけるテープ本体４１は、両面に平滑面を有した透明の樹脂素材を用いている。第１層４０ｘには、テープ把持部４２に相当する領域が青色で着色され、テープ把持部４２より下側には、複数の星柄の模様が青色で設けられている（図４参照）。テープ本体４１は、例えば、紙等のパルプ素材でもよい。また、両面に平滑面を有した形態に限らず、例えば、不織布や織布等の繊維集合体でも良い。ただし、テープ接着部４５の接着によってＺ状に折り畳まれた状態を維持しつつ、テープ部材４０同士の面同士の密着状態を解除することができ、且つ、後述のシール部材５０を再接着可能な状態にすることができるテープ部材４０とするためには、ポリエチレンやポリプロピレン等の樹脂素材で、両面に平滑面を有した形態とすることがより好ましい。
【００５２】
テープ把持部４２は、おむつ１の後処理を行う者がテープ部材４０を把持する部分である。テープ把持部４２は、テープ部材４０の端部に設けられており、テープ把持部４２には、テープ把持部材４３が設けられている。詳しくは、テープ本体４１の肌側面に、テープ把持部材４３がテープ接着部４５で剥離不能に固定されており、テープ把持部４２の外周面には接着剤が付着していない。テープ把持部材４３は、無色透明のポリエチレンやポリプロピレン等の樹脂素材である。テープ把持部材４３は、テープ部材４０をＺ字状に折り畳んだ状態にするための仮固定に用いるテープ接着部４５を用いてテープ本体４１に固定している。本実施形態におけるテープ把持部４２は、無色透明の樹脂素材からなるテープ把持部材４３を固定させて形成したが、何等これに限られない。例えば、有色の素材からなるテープ把持部材４３を用いてもよいし、単にテープ本体４１の一端部４０ｅに接着剤を設けない部分をテープ把持部４２としてもよいし、テープ本体４１の一端部４０ｅを肌側に折り返してテープ本体４１同士を貼り付けた部分をテープ把持部４２としてもよい。
【００５３】
テープ接着部４５は、全てが接着剤によるものでなくてもよい。例えば、第２層４０ｙと第３層４０ｚとの仮固定は、接着剤の変わりに圧搾や圧着等を行い、第１層４０ｘと第２層４０ｙとの仮固定は、接着剤を用いることにしてもよい。
【００５４】
なお、おむつ１のテープ部材４０自体は、長手方向にほぼ非伸縮としたが、これに限られない。テープ本体４１がゴム等の弾性素材で形成されて、長手方向に伸縮性を有していてもよい。さらに、テープ部材４０は、必ずしもＺ字状に折り畳まなくてもよく、２つ折りのＶ字状でもよいし、４つ折りのＷ字状でも、或いはＷ字状よりも多い折り曲げ回数で折り畳んでもよい。
【００５５】
図２Ａ及び図４に示すように、シール部材５０は、テープ部材４０の第２層４０ｙの非肌側面に接着部５５を介して接着されている。図４は、テープ部材４０及びシール部材５０を背側から見た正面図である。シール部材５０は、テープ部材４０の第２層４０ｙから分離させて、乳幼児等がシール台紙やおもちゃ等の身近なものに再接着させることができる所謂シールである。図５は、シール台紙２００の一例を示す図である。例えば、乳幼児は、図５に示すようなシール台紙にシール部材５０を貼ることができる。図５のシール台紙２００には、シールを貼るための枠２０５が複数設けられ、各枠には順番に数字が記載されている。乳幼児は、枠２０５に記載された順番に従って、テープ部材４０から分離させたシール部材５０を再接着させることができるため、「貼る」という行為を楽しむことができる。なお、図５に示すシール台紙２００は、順番１の枠２０５に図４に示すシール部材５０を貼付した状態を示している。
【００５６】
シール部材５０は、矩形形状のシール本体５１、シール把持部５２、矩形形状のシール把持部材５３及びシール接着部（接着部）５５を備えている。シール部材５０は、テープ部材４０の非肌側面から接着させており、シール部材５０の上下方向の長さを、Ｚ字状に折り畳んだ状態のテープ部材４０の上下方向の長さよりも短くしている。シール部材５０の上下方向の長さが、テープ部材４０の上下方向の長さよりも長い場合と比べて、シール部材５０の接着部５５をテープ部材４０に接着させやすい構成としている。なお、シール部材５０の左右方向の長さは、テープ部材４０の左右方向の長さとほぼ等しい。
【００５７】
シール部材５０は、テープ部材４０の第２層４０ｙに接着し、テープ部材４０の第１層４０ｘと前後方向においてほぼ同じ位置に設けられている。このとき、シール部材５０の下端は、テープ把持部４２の上端よりも上側に位置しており、シール部材５０の下端とテープ部材４０の上端とが接触しておらず、図４において、シール部材５０と第１層４０ｘとの間に第２層４０ｙの一部を視認することができる。
【００５８】
シール本体５１には、テープ本体４１と同様に、両面に平滑面を有したポリエチレンやポリプロピレン等の樹脂素材に、図４のように、シール把持部５２に相当する領域が青色で着色され、シール把持部５２より下側には、所定の図柄として青色で描いた猫（以下、「所定の図柄」ともいう。）５６、猫５６の左上に青色のハート５７、猫５６の右上に「やったね！シール」の青色の文字５８が視認可能な状態で設けられている。文字５８を見た保護者や乳幼児は、シール部材５０の存在を認識しやすくなる。なお、シール本体５１は、何等これに限られず、例えば、紙等のパルプ素材でもよい。また、両面に平滑面を有した形態に限らず、例えば、不織布や織布等の繊維集合体でも良い。
【００５９】
シール把持部５２は、着用者等がシール部材５０をテープ部材４０から分離させる際に把持する部分である。シール把持部５２は、シール部材５０の一端部に設けられている。なお、シール部材５０の一端側は、おむつ１の上側であり、シール部材５０の他端側は、おむつ１の下側である。シール把持部５２は、テープ把持部４２と同様に、シール部材５０の端部に設けられており、シール把持部５２には、シール把持部材５３が設けられている。詳しくは、シール本体５１の肌側面に、シール把持部材５３がシール接着部５５で剥離不能に固定されており、テープ把持部４２の外周面には接着剤が付着していない。シール把持部５２は、シール部材５０をテープ部材４０に剥離可能に接着させるためのシール接着部５５を用いてシール本体５１に固定している。本実施形態におけるシール把持部材５３は、無色透明の樹脂素材である。本実施形態におけるシール把持部５２は、無色透明の樹脂素材からなるシール把持部材５３を固定させて形成したが、何等これに限られない。例えば、有色の素材からなるシール把持部材５３を用いてもよいし、単にシール本体５１の一端部５０ｅに接着剤を設けない部分をシール把持部５２としてもよいし、シール本体５１の一端部５０ｅを肌側に折り返してシール本体５１同士を貼り付けた部分をシール把持部５２としてもよい。
【００６０】
シール接着部５５は、シール本体５１の肌側の面の全域に設けられており、剥離可能な接着強度を有している。シール接着部５５を、シール本体５１の肌側面の全域に設けることで、シール部材５０の接着をより強固にし、不用意にはがれてしまう恐れを軽減させることができる。図２Ａに示すテープ部材４０に接着していたシール部材５０を、図２Ｂに示すように、テープ部材４０から分離させることができる。
【００６１】
このシール部材５０を、仮に、テープ部材４０ではなく、吸収性本体１０や胴回り部２０、３０に接着させると、シール部材５０が持つ剛性によって、おむつ１の伸縮等の変形を阻害してしまったり、着用者の肌にシール部材５０が触れてしまったりする等、着用者に違和感を生じさせてしまう恐れがある。この点、おむつ１においては、一般的に広く用いられているおむつ１の廃棄処理の際に用いるテープ部材４０にシール部材５０を設けることで、おむつ１の伸縮等の変形性を低下させる恐れを軽減し、乳幼児の着用時における違和感を低下させることができる。
【００６２】
また、テープ部材４０から分離されたシール部材５０は、シール接着部５５の接着力によって、乳幼児の所望の場所に再接着させることができる。これによって、おむつ１からシール部材５０を掴み、シール台紙２００やおもちゃ等の身近なものにシール部材５０を貼って楽しむことができる。特に、乳幼児は、自分が着用していたおむつ１、又はこれから着用するおむつ１からシール部材５０を取り除いて、シール部材５０を貼るという行為を行うため、行為の起点となるシール部材５０を備えたおむつ１に対して楽しい印象を抱きやすくなり、おむつ１に対してより親しみやすさを感じさせやすくさせることができる。その結果、乳幼児はおむつ１に対して愛着を抱きやすくなり、おむつ１を汚したくないという意識を持ちやすくなって、トイレトレーニングへの意欲を向上させやすくなる。
【００６３】
なお、テープ部材４０に接着した状態のシール部材５０の非肌側の面は、全体が非肌側に露出していることが好ましい。おむつ１のシール部材５０は、テープ部材４０の第２層４０ｙに接着し、第１層４０ｘと前後方向においてほぼ同じ位置に設けられている。そのため、シール部材５０の非肌側面は、テープ部材４０が重ねられておらず、非肌側にテープ部材４０の全体が露出している。これにより、乳幼児等は、テープ部材４０の操作に関わらず、シール部材５０のみをテープ部材４０から分離させやすくすることができる。仮に、シール部材５０の一部にテープ部材４０を非肌側から重ねた場合には、シール部材５０の一部が非肌側に露出しておらず、シール部材５０をテープ部材４０から分離させる際に、テープ部材４０が障害となり、はがしにくくなったり、シール部材５０だけでなくテープ部材４０の接着部４５の接着まではがしたりするしまう恐れがある。これに対し、シール部材５０の非肌側の面の全体が非肌側に露出していることで、テープ部材４０のみを容易にはがすことができる。例えば、トイレトレーニングにおいて、おむつ１を排泄物で汚したりすることなく、トイレで排泄することができた場合には、乳幼児はシール部材５０をご褒美としておむつ１から取り外すことができる一方、テープ部材４０は未使用の状態のまま維持することができるため、おむつ１を継続して着用することが可能となる。
【００６４】
また、テープ把持部４２とシール把持部５２は、上下方向において、少なくとも一部で重なっていないことが好ましい。おむつ１は、図２Ａに示すように、テープ把持部４２とシール把持部５２は上下方向で重なっておらず、前後方向において、ほぼ同じ位置に設けられている。テープ把持部４２とシール把持部５２が上下方向において重なっていないことで、乳幼児や保護者がテープ把持部４２及びシール把持部５２をそれぞれ掴みやすくなる。なお、おむつ１のようにテープ把持部４２とシール把持部５２を、前後方向において、同じ位置に設けることで、外観から各把持部４２、５２だけでなく、テープ部材４０とシール部材５０の存在を認識させやすくすることができる。
【００６５】
さらに、テープ部材４０の他端部４０ｆからテープ部材４０の一端部４０ｅに向かう方向と、シール部材５０の他端部５０ｆからシール部材５０の一端部５０ｅに向かう方向が同じであることが好ましい。つまり、テープ部材４０の第１層４０ｘのうち、テープ把持部４２が上側で、テープ接着部４５が下側に設けられており、シール部材５０のうち、シール把持部５２が上側で、シール接着部５５が下側に設けられている。これによって、テープ把持部４２、シール把持部５２を掴んで、テープ接着部４５、シール接着部５５をそれぞれ上側から下側に向かって（同じ方向に向かって）はがし始めることができる。
【００６６】
また、シール部材５０のシール本体５１の着色について、シール把持部５２が最も濃く着色されていることが好ましい。このとき、シール部材５０における、猫（所定の図柄）５６の部分やハート（共通の図柄）５７の部分が、シール把持部５２の最も濃く着色された部分と同じ濃さの領域を有していてもよい。これによって、シール把持部５２がシール部材５０の中で特別な特徴を有していることを乳幼児や保護者に認識させることができるため、シール把持部５２がテープ部材４０に接着しておらず、シール部材５０を把持するための部分であることを認識させやすくすることができる。
【００６７】
同様に、テープ部材４０のテープ本体４１の着色について、テープ把持部４２が最も濃く着色されていることが好ましい。このとき、テープ部材４０における星柄の模様の着色が、シール把持部５２と同じ濃さの領域を有していてもよい。これによって、乳幼児や保護者にテープ部材４０のうちテープ把持部４２の部分を認識させやすくすることができる。
【００６８】
＝＝＝複数のおむつ１を備えたパッケージ１００＝＝＝
図６は、パッケージ１００の概略斜視図である。図６に示すように、パッケージ１００は、包装用の包装材１０１に複数のおむつ１、１・・・が収容されたものである。本実施形態においては、１つのパッケージ１００に１０個のおむつ１が収容されている。
【００６９】
各おむつ１は、それぞれ上述のテープ部材４０及びシール部材５０を備えている。図７Ａは、おむつ１の製造途中における連続テープ部材４００及び連続シール部材５００について説明する概略正面図である。図７Ｂは、図７Ａの連続テープ部材４００及び連続シール部材５００の概略側面図である。連続テープ部材４００は、テープ部材４０が左右方向に連続したものであり、図７Ａ及び７Ｂにおいては、１つのパッケージ１００に収容される１０個分のテープ部材４０となる部材を示している。同様に、連続シール部材５００は、シール部材５０が左右方向に連続したものであり、図７Ａ及び７Ｂにおいては、１つのパッケージ１００に収容される１０個分のシール部材５０となる部材を示している。連続テープ部材４００は、連続テープ本体４１０、連続テープ把持部材４３０を有しており、Ｚ字状に折り畳まれて、連続第１層４００ｘ、連続第２層４００ｙ、連続第３層４００ｚを備えている。連続シール部材５００は、連続シール本体５１０、連続シール把持部材５３０を備えている。図７Ａに示すように、連続テープ部材４００の上側略半分に連続シール部材５００、下側略半分に連続テープ部材４００の連続第１層４００ｘを備えており、連続シール部材５００の下端と連続第１層４００ｘの上端との間に連続第２層４００ｙを視認することができる。おむつ１のテープ部材４０及びシール部材５０の左右方向の各端部を構成する切断箇所ＣＬで切断し、左右方向の長さが間隔Ｐのテープ部材４０及びシール部材５０を形成して、おむつ１に固定部４４で固定して、図１の状態のおむつ１にする。
【００７０】
連続シール部材５００には、間隔Ｐ毎に、青色のハート５７と「やったね！シール」の青色の文字５８が視認可能な状態で設けられている。また、連続シール部材５００の最も右の間隔Ｐの領域には、所定の図柄である猫５６ａ、右から２番目の間隔Ｐの領域には、犬５６ｂ、右から３番目の間隔Ｐの領域には、パンダ５６ｃ・・・が青色で描かれている。
【００７１】
切断箇所ＣＬで切断して、間隔Ｐのテープ部材４０及びシール部材５０を備えたおむつ１を収容したパッケージ１００の中には、猫５６ａ、犬５６ｂ、パンダ５６ｃ、象５６ｄ、うさぎ５６ｅの５種類の図柄のシール部材５０を備えた各おむつ１が、２個ずつ収容される。つまり、１つのパッケージ１００には、５種類の異なる所定の図柄５６のシール部材５０を備えたおむつ１が収納されることになる。そのため、乳幼児や着用者は、１つのパッケージ１００の中から取り出す各おむつ１について、５種類の異なる所定の図柄５６のシール部材５０を楽しむことができる。
【００７２】
なお、本実施形態では、パッケージ１００内に同じ図柄５６を有するおむつ１が２個ずつ収容されることにしたが、これに限られない。例えば、パッケージ１００内に、全て所定の図柄５６が異なるシール部材５０を備えたおむつ１を１個ずつ収容させてもよい。乳幼児や保護者は、１つのパッケージ１００からおむつ１を取り出す度に毎回異なるシール部材５０の図柄５６を見ることができるため、乳幼児や保護者が飽きてしまう恐れをより軽減させることができる。
【００７３】
また、連続シール部材５００の間隔Ｐ毎の各領域には、それぞれ同じ位置に共通の図柄であるハート（「共通の図柄」ともいう。）５７を設けることが好ましい。そのため、複数のおむつ１を見た乳幼児や保護者は、シール部材５０にはハート５７が描かれていると知ることができ、外観上、ハート５７がある部材がシール部材５０であると連想しやすくなる。さらに、間隔Ｐ毎の各領域の同じ位置に、同じ図柄が設けられているため、連続テープ部材４００及び連続シール部材５００を切断箇所ＣＬで切断する際に、切断箇所ＣＬを特定するための基準位置とすることができる。ハート５７による切断箇所ＣＬの特定によって、図柄５６や文字５８をシール部材５０内に収めやすくすることができる。なお、共通の図柄５７は、ハートの形である必要はない。共通の図柄５７として任意の形状を採用することができ、例えば、所定の図柄（猫）５６を囲むような矩形形状の図柄であってもよい。
【００７４】
連続テープ部材４００の連続第１層４００ｘに、複数の大きさの異なる星柄を視認可能な状態で設けることが好ましい。この連続テープ部材４００を各切断箇所ＣＬで切断した各テープ部材４０の第１層４０ｘには、複数の大きさの異なる星柄が設けられている。各テープ部材４０に設けられた星柄は、シール部材５０に設けられたハート５７とは異なり、複数のおむつ１において、必ずしも同じ位置に同じ図柄を設けたものである必要はなく、位置や大きさが異なっていてもよい。複数のおむつ１を見た乳幼児や保護者は、テープ部材４０には、星柄が描かれていることを観念的に認識することができるため、星柄が設けられた部分がテープ部材４０であることを、外観上、認識しやすくすることができる。テープ部材４０に設ける図柄は、星柄に限られず、例えばボーダー柄等の任意の形状を採用することができる。
【００７５】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７６】
上述の実施形態においては、１枚のシール部材５０をテープ部材４０の第２層４０ｙに接着させ、第１層４０ｘと前後方向において同じ位置に設け、シール部材５０の他端とテープ部材４０の上端とが接触していない構成としたが、これに限られない。
【００７７】
図８Ａは、おむつ１のＢ−Ｂ断面図に該当する部分の他の実施形態１を説明する図である。図８Ａに示すように、テープ部材４０の一端とシール部材５０の他端は連続しており、テープ部材４０とシール部材５０との間には、スリットＳを設けてもよい。具体的には、テープ本体４１とシール本体５１が同じ素材から形成され、テープ本体４１の一端とシール本体５１の他端がつながった状態となっており、テープ本体４１とシール本体５１との境には、少なくとも１つのスリットＳが設けられている。なお、スリットＳは、線状の貫通孔であってもよいし、テープ本体４１とシール本体５１の厚みを薄くした部分（切り込み）であってもよい。これによって、シール部材５０は、シール接着部５５による接着だけでなく、テープ部材４０とつながっているため、シール部材５０が不用意に分離してしまったりする恐れを軽減させることができる。なお、シール部材５０をテープ部材４０から分離する際には、シール把持部５２を掴んで、シール把持部５２を引っ張ることで、スリットＳの部分が切り取られて、容易にテープ部材４０からシール部材５０を分離させることができる。
【００７８】
図８Ｂは、おむつ１のＢ−Ｂ断面図に該当する部分の他の実施形態２を説明する図である。図８Ｂに示すように、シール部材５０をテープ部材４０の第１層４０ｘに接着させ、テープ部材４０よりも非肌側に設けていてもよい。つまり、テープ部材４０の第１層４０ｘとシール部材５０を前後方向において、必ずしも同じ位置に設ける必要はなく、シール部材５０をテープ部材４０よりも外側に設けてもよい。このようにすることで、テープ部材４０に備えることができるシール部材５０の大きさをより大きくすることができるため、シール部材５０の大きさや形状等のバリエーションを増やすことができる。
【００７９】
図８Ｃは、おむつ１のＢ−Ｂ断面図に該当する部分の他の実施形態３を説明する図である。複数のシール部材５０ａ、５０ｂ、５０ｃを備え、おむつ１から分離された各シール部材５０ａ、５０ｂ、５０ｃは、それぞれシール台紙等に再接着可能であるものとしてもよい。各シール部材５０ａ、５０ｂ、５０ｃは、それぞれシール把持部５２ａ、５２ｂ、５２ｃとシール接着部５５ａ、５５ｂ、５５ｃを備え、シール接着部５５ｂ、５５ｃが、他のシール部材５０やテープ部材４０の何れかに接着されていてもよい。このとき、肌側から順に配置したシール部材５０ａ、５０ｂ、５０ｃのうち、シール部材５０ａは、テープ部材４０の第１層４０ｘの非肌側の面に接着している。シール部材５０ｂは、シール部材５０ａの非肌側の面に接着しており、シール部材５０ａより上下方向の長さが短い。シール部材５０ｃは、シール部材５０ｂの非肌側の面に接着しており、シール部材５０ｂより上下方向の長さが短い。
【００８０】
このように、複数のシール部材５０ａ、５０ｂ、５０ｃを備えることで、１つのおむつ１について、乳幼児等は、複数回シール部材５０を貼って楽しむことができる。例えば、乳幼児がおむつ１に排泄をすることなく、トイレで排泄をすることができた場合等、トイレトレーニングに成功した場合には、おむつ１を廃棄処理することなく、シール部材５０をご褒美として乳幼児に与えることができるため、１つのおむつ１について、複数回のトイレトレーニングを行うことも可能である。このように、乳幼児のトイレトレーニングに対する意欲をより向上させることができる。
【００８１】
また、各シール把持部５２ａ、５２ｂ、５２ｃが前後方向において少なくとも一部で重なっていない。そのため、乳幼児や保護者は、各シール把持部５２ａ、５２ｂ、５２ｃを
掴みやすくなっている。さらに、本実施形態においては、各シール把持部５２ａ、５２ｂ、５２ｃの全体を非肌側の面に露出させている。そのため、乳幼児や保護者は、シール把持部５２ａ、５２ｂ、５２ｃを認識しやすくなり、シール部材５０ｃ、５０ｂ、５０ａの順にはがしやすくなっている。
【００８２】
なお、上述の実施形態においては、テープ部材４０のテープ本体４１が１本の連続した形状を有していたが、必ずしも連続している必要はない。図９は、他の実施形態４を説明する図である。図９に示すように、第１層４０ｘと第２層４０ｙと第３層４０ｚがそれぞれ分離したテープ本体４１を有し、第１層４０ｘと第２層４０ｙとの間、及び第２層４０ｙと第３層４０ｚとの間を剥離不能な接着剤等で接着していてもよい。複数のテープ本体４１を組み合わせることで、より容易にテープ部材４０を形成することができる。
【００８３】
さらに、図１０に示すように、おむつ１の吸収性本体１０又は胴回り部（２０、３０）に基準図柄６０と、正解図柄６１と、不正解図柄６２と、正解図柄を探すことを促す情報表示６３を備え、シール部材５０に基準図柄と同一形状、又は、相似形状である図柄６５を視認可能な状態に設けてもよい。図１０Ａは、他の実施形態５のおむつ１を腹側から見た概略正面図である。図１０Ｂは、他の実施形態５のおむつ１を背側から見た概略正面図である。図１０Ｃは、他の実施形態５のテープ部材４０及びシール部材５０を説明する図である。おむつ１には、基準図柄６０が前胴回り部２０に、正解図柄６１と不正解図柄６２が吸収性本体１０に設けられている。正解図柄とは、基準図柄と同一形状又は相似形状である図柄をいう。乳幼児は、おむつ１に設けられた正解図柄を探す情報表示６３に従って、正解図柄６１と不正解図柄６２が設けられたおむつ１の中から、正解図柄６１を探すことを楽しむことができる。このとき、テープ部材４０に接着されたシール部材５０に、基準図柄６０と同一形状、又は、相似形状である図柄６５を設けていてもよい。図１０Ｂ及び図１０Ｃに示すように、基準図柄６０と相似形状である図柄６５を備えたシール部材５０を乳幼児が手に持った状態で正解図柄６１を探すことができるため、月齢の低い乳幼児等、正解図柄６１を探し出すのが困難な乳幼児にとって、正解図柄６１を探す手がかりにすることができる。また、シール部材５０の図柄６５を正解図柄としてもよい。図柄６５は、基準図柄と同一形状又は相似形状であるため、乳幼児が図柄６５を「正解図柄」として探し出した場合には、これを正解図柄として扱うことができる。
【００８４】
上述の実施形態においては、腹側胴回り部２０と背側胴回り部３０と吸収性本体１０とを有する所謂３ピースタイプの使い捨ておむつ１について説明したがこれに限られない。例えば、外装シート１２が腹側胴回り部２０と後胴回り３０とを繋いで一体化されたおむつ（所謂２ピースタイプ）にテープ部材４０及びシール部材５０を備えてもよい。この場合には、「吸収体」が「吸収性本体」に相当する。
【００８５】
上述の実施形態においては、テープ部材４０の形状に応じて、略矩形のシール部材５０を設けたが、これに限られない。シール部材５０は、丸型や星形等、所望の外形形状を有していてもよい。
【００８６】
さらに、シール部材５０の外形形状は、必ずしもテープ部材４０の外形形状の内側に収まる必要はない。シール部材５０の上下方向又は左右方向の長さが、テープ部材４０の上下方向又は左右方向の長さよりも長くてもよい。
【符号の説明】
【００８７】
１  おむつ（吸収性物品）、
１０  吸収性本体、１１  吸収体、１２  外装シート、
２０  腹側胴回り部（胴回り部）、２２  弾性部材、
３０  背側胴回り部（胴回り部）、３１  シート部材、３２  弾性部材、
４０  テープ部材、４０ｅ  一端部、４０ｆ  他端部、
４１  テープ本体、４２  テープ把持部、４３  テープ把持部材、
４４  固定部、４５  テープ接着部、
５０  シール部材、５０ｅ  一端部、５０ｆ  他端部、
５１  シール本体、５２  シール把持部、５５  シール接着部（接着部）、
５６  猫（所定の図柄）、５７  ハート（共通の図柄）、５８  文字、
１００  パッケージ、１０１  包装材、
２００  シール台紙、２０５  枠、
４００  連続テープ部材、４００ｘ  連続第１層、４００ｙ  連続第２層、
４３０  連続テープ把持部材、
５００  連続シール部材、５３０  連続シール把持部材、
ＢＨ  胴回り開口部、ＬＨ  脚回り開口部、
Ｓ  スリット
【図１】
2019024935.tif 000003
【図２】
2019024935.tif 000004
【図３】
2019024935.tif 000005
【図４】
2019024935.tif 000006
【図５】
2019024935.tif 000007
【図６】
2019024935.tif 000008
【図７】
2019024935.tif 000009
【図８】
2019024935.tif 000010
【図９】
2019024935.tif 000011
【図１０】
2019024935.tif 000012